(57)【特許請求の範囲】
【請求項１】
コネクタの外部接続端子が端子列方向で基台面に沿うように該コネクタを外部接続端子突出面を除く周面で固定するコネクタ固定枠と、
互いに密着する第１の端子修正ブロックと第２の端子修正ブロックとからなり、前記第１の端子修正ブロックは、前記第２の端子修正ブロックに対する密着面の前記各外部接続端子と対応する領域の間が溝状の凹部に形成され、前記第２の端子修正ブロックは、前記第１の端子修正ブロックに対する密着面の前記凹部と対応するそれぞれの領域に、先端が凸のＶ字形で前記第１の端子修正ブロックと密着させた状態で前記凹部に嵌入し得るように突出させた端子案内片を備えて形成され、前記第１の端子修正ブロックと前記第２の端子修正ブロックとを密着させた状態で、互いに隣接する前記端子案内片が前記外部接続端子を挟み込めると同時に、前記外部接続端子の先端が挿入し得る穴が形成されるように構成されて、前記コネクタ固定枠の前記外部接続端子突出面側に配置される端子ずれ修正ブロックとを有し、
前記コネクタ固定枠は、前記基台に固定された第１の駆動機構部の作動で、前記外部接続端子の弾性範囲を越える振幅から徐々に収斂する波形に前記端子列方向に往復動するように構成され、
前記端子ずれ修正ブロックは、前記基台に固定された第２の駆動機構部の作動で、前記外部接続端子の弾性範囲を越える振幅から徐々に収斂する波形に前記端子行方向に往復動するように構成されていることを特徴とするコネクタの製造装置。
【請求項２】
請求項１記載のコネクタが、
外部接続端子がオフセット曲げされてなる表面実装形コネクタであることを特徴とするコネクタの製造装置。
【発明の詳細な説明】
【０００１】
【発明の属する技術分野】
本発明は回路基板面に接続される外部接続端子が一列に整列してなる表面実装型コネクタ（以下文中では単にコネクタとする）に係わり、特にコネクタとしての製造の容易化を実現して生産性向上を図ったコネクタの製造装置に関する。
【０００２】
【従来の技術】
技術的背景として本発明に係わるコネクタを相手側コネクタと共に説明する図９はコネクタとしての構成を回路基板への実装方法と共に説明する図であり、図１０は図９の第１のプラグ端子を説明する図、図１１は図９の第２のプラグ端子を説明する図、図１２は図９のプラグ絶縁体を説明する図、図１３はコネクタとしての組立方法を説明する図、図１４はコネクタ組立時の外部接続端子の状態を説明する図、図１５は外部接続端子の第１の修正方法を装置と共に説明する図、図１６は外部接続端子の第２の修正方法を説明する図である。
【０００３】
なお図では、本発明にかかわるコネクタが二列のプラグコンタクト列を備えている場合を例として説明する。
図９で接続装置１は、図示されない電子装置に繋がるジャックコネクタ１１と、回路基板（以下単に基板とする）１５表面の端辺１５ａ近傍に実装されるプラグコネクタとしての本発明に係わるコネクタ１２とからなる。
【０００４】
この内ジャックコネクタ１１は、直状のジャック端子１１１と複数個の該各ジャック端子１１１を二列のマトリックス状に植設するジャック絶縁体１１２とからなるものである。
【０００５】
そして、例えば燐青銅板の如くばね性を有する金属板を通常のプレス打ち抜き曲げ成形技術等で形成したこの場合のジャック端子１１１は、一端が後述するプラグ端子１２１，１２２の各プラグコンタクト領域を両面から押圧して挟み込むように二股に分岐して形成されたジャックコンタクト１１１ａで、該ジャックコンタクト１１１ａに続く絶縁体固着部１１１ｂから先が図示されない上記電子装置に繋がる信号線との接続域となる外部接続端子１１１ｃに形成されているものである。
【０００６】
またジャック絶縁体１１２は、上記ジャック端子１１１をその絶縁体固着部１１１ｂの領域で整列して植設する端子植設部１１２ａの周囲が、該ジャック端子１１１の上記ジャックコンタクト１１１ａの長さを越える高さの周壁１１２ｂで囲まれてなるものであり、上記端子植設部１１２ａには上記ジャック端子１１１をその絶縁体固着部１１１ｂの圧入で固着し得る大きさの端子孔１１２ｃが所要ピッチを保った二列のマトリックス状に形成されているものである。
【０００７】
なお上記端子孔１１２ｃの隣接端子孔間の所要ピッチは、例えば端子列方向ピッチが“p1”で端子列間ピッチが“p2”になるように形成されている。
そこで、外部接続端子１１１ｃを先頭とする上記ジャック端子１１１を周壁側からジャック絶縁体１１２の各端子孔１１２ｃに圧入したときの絶縁体固着部１１１ｂの端子孔内壁面への食い込みで、上記外部接続端子１１１ｃが端子植設部１１２ａから突出した状態で該ジャック端子１１１が固着されたジャックコネクタ１１を図示のように構成することができる。
【０００８】
一方、本発明に係わる上記コネクタ１２は、第１のプラグ端子１２１と第２のプラグ端子１２２と、該各プラグ端子１２１と１２２とをそれぞれのプラグコンタクト領域が上記ジャックコネクタ１１の各ジャック端子１１と対応するような位置に植設するプラグ絶縁体１２３とからなる。
【０００９】
ここで該コネクタ１２を理解し易くするため、図１０で第１のプラグ端子１２１を、図１１で第２のプラグ端子１２２を、また図１２でプラグ絶縁体１２３を先に説明する。
【００１０】
第１のプラグ端子を説明する図１０で、第１のプラグ端子ブランク１２１′は所要の第１のプラグ端子１２１が上記のピッチ“p1”で連結部材１２１″に櫛刃状に繋がれているものである。
【００１１】
そして所要の第１のプラグ端子１２１は、一端が上記ジャック端子１１１のジャックコンタクト１１１ａに対応するプラグコンタクト１２１ａで、該プラグコンタクト１２１ａに続く絶縁体固着部１２１ｂから幅方向片側に縮幅された状態で所定高さ“h1”にオフセット曲げされた後の他端側が外部接続端子１２１ｃに形成されているものであり、該外部接続端子１２１ｃの端部で上記連結部材１２１″に繋がれている。
【００１２】
なお、上記オフセット曲げ領域における外部接続端子側の曲げ角度“α”は、９０°を僅かに越える鈍角に形成されている。
また上記絶縁体固着部１２１ｂは、その幅方向両側辺に突出して設けたバルジ１２１ｂ′によって上記プラグ絶縁体１２３の後述する端子孔１２３ｃに固着し得るようになっている。
【００１３】
そこで、上記第１のプラグ端子１２１をその外部接続端子端部で折り曲げて連結部材１２１″から分離することで、個々の第１のプラグ端子１２１が得られるようになっている。
【００１４】
また第２のプラグ端子を説明する図１１で、第２のプラグ端子ブランク１２２′は、所要の第２のプラグ端子１２２が図１０同様のピッチ“p1”で連結部材１２２″に櫛刃状に繋がれた状態にある。
【００１５】
そしてこの場合の該第２のプラグ端子１２２は、一端が上記第１のプラグ端子１２１におけるプラグコンタクト１２１ａと等しい長さのプラグコンタクト１２２ａで該プラグコンタクトに続く領域が上記第１のプラグ端子１２１における絶縁体固着部１２１ｂと等しい絶縁体固着部１２２ｂに形成され、該絶縁体固着部１２２ｂから上記第１のプラグ端子１２１と逆の幅方向に突出して縮幅された状態で所定高さ“h2”にオフセット曲げされた後の他端側が上記連結部材１２２″に繋がれた外部接続端子１２２ｃに形成されているものである。
【００１６】
そして、上記絶縁体固着部１２２ｂの領域とオフセット曲げ領域とが該端子幅方向に上記ピッチ“p1”の 1/2  すなわち“p1／２”だけ幅方向逆側にずれた状態に形成されている。
【００１７】
なお上記の所定高さ“h2”は、第１のプラグ端子１２１におけるオフセット曲げ高さ“h1”と前述した端子列間ピッチ“p2”を加えた高さすなわち“h1＋p2”になっている。
【００１８】
なお、上記オフセット曲げ領域における外部接続端子側の曲げ角度“α”が９０°を僅かに越える鈍角になっていることは、上記第１のプラグ端子１２１の場合と同様である。
【００１９】
そこで、上記第２のプラグ端子１２２を外部接続端子１２２ｃの端部で折り曲げて連結部材１２２″から分離することで、個々の第２のプラグ端子１２２が得られるようになっている。
【００２０】
一方上記プラグ絶縁体１２３を示す図１２で、（１２−１）は一部を断面視した全体斜視図であり、（１２−２）は（１２−１）を矢印Ｃ方向から見た側面図である。
【００２１】
図１２でプラグ絶縁体１２３は、上記第１及び第２のプラグ端子１２１，１２２を前記ジャックコネクタ１１のジャック端子１１と同様に配置植設する端子配置領域１２３ａの周辺に各プラグコンタクト長を僅かに越える高さの周壁１２３ｂが形成されているものであり、該周壁１２３ｂの内面１２３ｂ′が上記ジャックコネクタ１１の周壁外面に対するガイド面になるようになっている。
【００２２】
そして上記端子配置領域１２３ａには、第１及び第２のプラグ端子１２１，１２２の各絶縁体固着部１２１ｂ，１２２ｂがその圧入で固着し得る大きさの端子孔１２３ｃが、上述した端子配置ピッチすなわち端子列方向隣接間ピッチ“p1”，端子列間ピッチ“p2”に形成されている。
【００２３】
そこで図１３に示す如く、プラグ絶縁体１２３の基板載置面１２３′（図示下面）側の端子孔１２３ｃの列に矢印Ｅ1 の如く前述した第１のプラグ端子ブランク１２１′をプラグコンタクト側から一括して挿入し、その絶縁体固着部１２１ｂが上記端子孔１２３ｃと当接した位置で連結部材１２１″を矢印Ｆ1 〜Ｆ1 ′のように折除して第１のプラグ端子１２１を個片化する。
【００２４】
次いで、各第１のプラグ端子１２１の上述した縮幅によって形成される肩部１２１ｃ′を図示されない治具等で所定の位置まで押圧して各第１のプラグ端子１２１を圧入することで、該各第１のプラグ端子１２１をプラグ絶縁体１２３に固着する。
【００２５】
更に、他方（図示上側）の端子孔列に矢印Ｅ2 の如く前述した第２のプラグ端子ブランク１２２′をプラグコンタクト側から一括して挿入し、上記第１のプラグ端子１２１と同様に連結部材１２２″を矢印Ｆ2 〜Ｆ2 ′のように折除して第２のプラグ端子１２２を個片化し、続いて第２のプラグ端子１２２の上述した縮幅によって形成される肩部１２２ｃ′を図示されない治具で所定位置まで押圧して該各第２のプラグ端子１２２をプラグ絶縁体１２３に固着することで、第１のプラグ端子１２１と第２のプラグ端子１２２とが列ごとに整列して植設されたコネクタ１２を図９で示したように構成することができる。
【００２６】
かかるコネクタ１２では、第１のプラグ端子１２１の外部接続端子１２１ｃと第２のプラグ端子１２２の外部接続端子１２２ｃとがプラグ絶縁体１２３の上記基板載置面１２３ｂ″とほぼ同じ面上に隣接端子間ピッチ“p1／２”を保って整列するが、各外部接続端子の先端は上述したように該基板載置面１２３ｂ′より僅かに突出した状態にある。
【００２７】
一方前述した基板１５には、上記各外部接続端子１２１ｃ，１２２ｃと対応するそれぞれの位置に、上述した接続電極１５ｂが形成されている。
従って、上記コネクタ１２を例えば図示されない真空吸着ヘッド等を使用して該基板１５に搭載してから両者を図示しない治具等で固定し更に例えば通常のはんだリフロー技術等で両者をはんだ接続することで、該コネクタ１２を基板１５に実装することができるが、各外部接続端子１２１ｃ，１２２ｃの先端が上述したように絶縁体１２３の基板載置面１２３′より僅かに突出しているので基板１５の接続電極１５ｂには先端側から接触することとなり、結果的に確実且つ安定した状態で基板にはんだ接続できるメリットがある。
【００２８】
その後、前述したジャックコネクタ１１を矢印Ｈの如く該コネクタ１２に嵌合させることで、基板１５と図示されない電子装置とが接続し得る接続装置１を構成することができる。
【００２９】
しかしかかるコネクタ１２では、個々に分離して個片化された状態の第１のプラグ端子１２１と第２のプラグ端子１２２とを圧入固着することから該固着時にプラグ端子自体が傾くことがあるが、この場合の傾き方向はランダムであるため、結果的に外部接続端子領域もランダム方向に傾いてその位置にずれが生じ易い欠点がある。
【００３０】
図１４は外部接続端子領域にかかるずれが生じているコネクタ１２′を拡大視して示したものであり、（ａ）はコネクタとしての全体斜視図であり、（ｂ）は矢示Ｈ1 方向からみた平面図，（ｃ）は矢示Ｈ2 方向からみた側面図である。
【００３１】
すなわち図で外部接続端子１２１ｃと１２２ｃとは、各それぞれの先端１２１ｃ″と１２２ｃ″が端子列方向では（ｂ）に示すように隣接端子間ピッチ“ｐ1 ”が“ｐ1 ′”や“ｐ1 ″”の如く変化して位置ずれが発生し、また端子行方向では（ｃ）に示す各先端１２１ｃ″と１２２ｃ″に“δ”のような位置ずれが発生する。
【００３２】
そしてこの場合の隣接端子間ピッチ“ｐ1 ′”や“ｐ1 ″”は、前述した基板１５の各接続電極１５ｂに対する位置ずれになり、また端子行方向の位置ずれ“δ”は上記接続電極各１５ｂに対する浮き上がりや接触圧力の過大化に繋がることから、該各外部接続端子領域を修正する必要がある。
【００３３】
一方外部接続端子領域が曲がったり変形している端子は、その根元を固定した状態で外部接続端子先端を該端子の弾性領域を越える範囲で曲がりや変形方向に振らし更にその振れを徐々に収斂させると、上記の曲がりや変形がなくせることが例えば“特開平３−１１５７３号公報”によって公知技術として知られている。
【００３４】
かかる技術に基づく端子列方向ピッチの修正方法を端子列方向ピッチ修正装置と共に説明する図１５で、端子列方向ピッチ修正装置（以下文中では第１の修正装置とする）３は、基台３１の表面に沿って固定されたあり３１１に嵌合して該あり方向に移動できるコネクタ固定枠３２と、該基台３１の所定位置に固定された端子修正ブロック３３、および基台３１に固定されて上記コネクタ固定枠３２を往復動させる駆動機構部３５とからなるものである。
【００３５】
そして、平面視がコ字形をなすコネクタ固定枠３２はその開口側に前述したプラグ絶縁体１２３の位置決め駒３２１を備えているものであり、図１４で説明したコネクタ１２′をその外部接続端子領域を上記開口側に位置せしめて矢印Ｊ1 のように該コネクタ固定枠３２に落とし込むことで、該コネクタ１２′が二次元的に位置決めできるようになっている。
【００３６】
また、端子修正ブロック３３は、上記コネクタ固定枠３２に前述したコネクタ１２′を位置決めしたときのコネクタ側端面３３ａに、該コネクタ１２′の各外部接続端子１２１ｃ，１２２ｃがその先端までを含めて上方から挿入し得る大きさの溝３３ｂが各端子と対応するそれぞれの位置に形成された平面視櫛状をなすものであり、各溝間の壁３３ｃを上記端面３３ａ側が薄くなるように平面視先細状に形成されている。
【００３７】
そこで、前記コネクタ１２′を上述した矢印Ｊのようにコネクタ固定枠３２に落とし込むことで、該溝３３ｂの領域を抽出して拡大した円内図（ａ）のように該コネクタ１２′の端子列方向でずれている各外部接続端子１２１ｃ，１２２ｃが該溝３３ｂへ捕捉できるようになっている。
【００３８】
この場合、図１４の前記コネクタ１２′における各外部接続端子１２１ｃ，１２２ｃを溝３３ｂ間に位置する上記壁３３ｃの先細状先端で捕捉した状態では、例えば外部接続端子１２１ｃ-1の如くＫ1 方向にずれている端子は上記溝３３ｂのＫ1 側壁面に当接した状態で該溝に位置すると共に、外部接続端子１２２ｃ-1の如くＫ2 方向にずれている端子は該溝３３ｂのＫ2 側壁面に当接した状態で該溝に位置する。
【００３９】
一方駆動機構部３５は、上記基台３１に固定されてパルスモータ３５１と該パルスモータ３５１の回転軸に繋がるボールねじ３５２とからなるものであり、該ボールねじ３５２に嵌合する駆動駒３２２は上記コネクタ固定枠３２に固定されている。
【００４０】
従って上記パルスモータ３５１を図示されない制御部に繋がる信号線３５３からの信号によって正逆転させることで、上記コネクタ固定枠３２を上述したあり３１１の方向すなわち図示Ｋ方向に往復動させることができる。
【００４１】
そこで、上記コネクタ固定枠３２に位置決めされたコネクタ１２′の各外部接続端子が上記溝３３ｂと対応するようにパルスモータ３５１を作動させたときを基準とした上で該パルスモータ３５１を図示されない制御部からの信号で正逆転させて該コネクタ固定枠３２ひいてはコネクタ１２′をＫ方向に往復動させるが、このときの往復動は横軸を振幅とし縦軸を時間とした抽出図（ｂ）に示す如く徐々に収斂させると共に該往復動初期の振幅Ｓ1 を例えば上述した外部接続端子の弾性領域を越える振幅“ｐ”を越えない値に設定することで、上記外部接続端子１２１ｃ-1と１２２ｃ-1のいずれもが該溝３３ｂのほぼ中央に位置するように修正させられるので、外部接続端子としての端子列方向の位置ずれのみが修正されたコネクタ１２″を抽出図（ｃ）に示すように得ることができる。
【００４２】
他方、端子行方向の位置ずれの修正方法を端子行方向位置ずれ修正装置と共に説明する図１６で、端子行方向位置ずれ修正装置（以下文中では第２の修正装置とする）４は、基台４１の表面に固定された前記コネクタ固定枠３２と等しいコネクタ固定枠４２と、該コネクタ固定枠４２の開口側に対面して立てた一対のあり４１１に嵌合して該あり方向すなわち上下方向に移動できる端子修正部４３、および該基台４１に固定されて上記端子修正部４３を上下動させる駆動機構部４４とからなるものである。
【００４３】
そしてこの場合のコネクタ固定枠４２は、その開口側には前述した位置決め駒３２１を備えていると共に、長手方向両壁面それぞれの上面には軸４２１を中心とする回動で該コネクタ固定枠４２に位置決めされた前記コネクタ１２′としての該コネクタ固定枠４２からの浮き上がりを抑制するための固定駒４２２が装着されている。
【００４４】
従って、該固定駒４２２を図示のように開いた状態で図１５で説明したコネクタ１２″をその外部接続端子領域が上記開口側に位置するように矢印Ｊ2 のようにコネクタ固定枠４２に落とし込んだ後、上記固定駒４２２を矢印Ｊ3 のように回動させることで、該コネクタ１２″を三次元的に固定することができる。
【００４５】
また端子修正部４３は、あり４１１と嵌合して上下動し得るダイブロック４３１と該ダイブロック４３１にねじ等で着脱可能に固定される端子修正ブロック４３２とからなる。
【００４６】
そしてダイブロック４３１の上面は平坦に形成されている。
また端子修正ブロック４３２の下面には、上記コネクタ固定枠４２に前述したコネクタ１２″を固定したときの各外部接続端子配置領域と対応する領域が凹の段差面４３２ａが形成されており、該凹の段差面４３２ａの段差量は上記外部接続端子の厚さを僅かに越えるように形成されている。
【００４７】
そこで、上記端子修正ブロック４３２をダイブロック４３１から外した状態で例えばコネクタ１２″を上述したように上記コネクタ固定枠４２に固定し、次いで上記端子修正ブロック４３２を該ダイブロック４３１にねじ等の手段で固定することで、上記凹の段差面４３２ａの領域を抽出して拡大した円内図（ａ）のように該コネクタ１２″の端子行方向でずれている総ての外部接続端子１２１ｃ，１２２ｃを、ダイブロック４３１の上面と凹の段差面４３２ａとの間に捕捉することができる。
【００４８】
一方駆動機構部４４は、基台４１の上記端子修正部対応位置の下側に固定されたパルスモータ４４１と、該パルスモータ４４１の回転軸に繋がって該端子修正部側に延伸するボールねじ４４２とからなるものであり、該ボールねじ４４２は上記ダイブロック４３１に形成された雌ねじ４３１ａと嵌合するようになっている。
【００４９】
従って上記パルスモータ４４１を図示されない制御部に繋がる信号線４４３からの信号によって正逆転させることで、上記ダイブロック４３１ひいては端子修正部４３を上述したあり４１１の方向すなわち図示Ｌで示す上下方向に往復動させることができる。
【００５０】
そこで、上記ダイブロック４３１の上面がコネクタ１２″の基板搭載面１２３′と合致するようにパルスモータ４４１を作動させたときを基準とした上で、上記パルスモータ４４１を制御部からの信号で正逆転させて該端子修正部４３を上下動させるが、このときの上下動は縦軸を振幅とし横軸を時間とした抽出図（ｂ）に示す如く徐々に収斂させると共に、該上下動の振幅Ｓ2 を例えば上述した外部接続端子の弾性範囲を僅かに越える値に設定すると、ダイブロック４３１の表面と端子修正ブロック４３２の凹の段差面４３２ａに挟まれた総ての外部接続端子１２１ｃ，１２２ｃの端子行方向の位置ずれを修正することができる。
【００５１】
従って、上述した第１の修正装置３による端子修正作業と第２の修正装置４による端子修正作業とを行うことで、外部接続端子としての端子列方向と行方向の位置ずれが共に修正された所要のコネクタ１１を抽出図（ｃ）に示すように得ることができる。
【００５２】
【発明が解決しようとする課題】
しかし従来の端子修正手段を含むコネクタの製造装置では、外部接続端子の修正作業に複数の端子修正装置を使用する必要があり、コネクタの付け替え作業等も含めて修正に工数がかかると共に設備費用も大きくなることから、生産性の向上を期待することができないと言う問題があった。
【００５３】
【課題を解決するための手段】
上記課題は、コネクタの外部接続端子が端子列方向で基台面に沿うように該コネクタを外部接続端子突出面を除く周面で固定するコネクタ固定枠と、互いに密着する第１の端子修正ブロックと第２の端子修正ブロックとからなり、前記第１の端子修正ブロックは、前記第２の端子修正ブロックに対する密着面の前記各外部接続端子と対応する領域の間が溝状の凹部に形成され、前記第２の端子修正ブロックは、前記第１の端子修正ブロックに対する密着面の前記凹部と対応するそれぞれの領域に、先端が凸のＶ字形で前記第１の端子修正ブロックと密着させた状態で前記凹部に嵌入し得るように突出させた端子案内片を備えて形成され、前記第１の端子修正ブロックと前記第２の端子修正ブロックとを密着させた状態で、互いに隣接する前記端子案内片が前記外部接続端子を挟み込めると同時に、前記外部接続端子の先端が挿入し得る穴が形成されるように構成されて、前記コネクタ固定枠の前記外部接続端子突出面側に配置される端子ずれ修正ブロックとを有し、前記コネクタ固定枠は、前記基台に固定された第１の駆動機構部の作動で、前記外部接続端子の弾性範囲を越える振幅から徐々に収斂する波形に前記端子列方向に往復動するように構成され、
前記端子ずれ修正ブロックは、前記基台に固定された第２の駆動機構部の作動で、前記外部接続端子の弾性範囲を越える振幅から徐々に収斂する波形に前記端子行方向に往復動するように構成されていることを特徴とするコネクタの製造装置によって解決される。
【００５５】
図１４で説明したコネクタ１２′の各外部接続端子先端を保持する端子修正ブロックの溝を孔に変えると、端子列方向のずれと端子行方向のずれを１つの端子修正ブロックで修正することができる。
【００５６】
そこで本発明では、コネクタ固定枠と外部接続端子保持用の孔を備えた端子ずれ修正ブロックとを基台上に配置してコネクタ製造装置を構成した上で、上記コネクタ１２′が固定されたコネクタ固定枠を端子ずれ修正ブロックに対して端子列方向に往復動させて端子列方向のずれを修正すると共に、上記端子ずれ修正ブロックをコネクタ固定枠ひいてはコネクタ１２′に対して端子行方向に往復動させることで端子行方向のずれを修正するようにしている。
【００５７】
このことは、上記コネクタ１２′をコネクタ固定枠に固定したままで端子列方向と端子行方向のずれが続けて修正できることを意味する。
従って端子修正工数を削減することができてコネクタとしての生産性向上を実現することができる。
【００５８】
【発明の実施の形態】
図１は本発明になるコネクタの製造装置に関連する従来のコネクタの製造装置を説明する図であり、図２は図１における端子ずれ修正ブロックを説明する図、図３は図１におけるコネクタの製造方法を説明する図である。
【００５９】
一方、図４は本発明になるコネクタの製造装置を説明する図であり、図５は図４における第１の端子修正ブロックを説明する図、図６は図４における第２の端子修正ブロックを説明する図、図７は端子ずれ修正ブロックの組立状態を説明する図、図８は図４の端子ずれ修正ブロックと外部接続端子の位置関係を説明する図である。
【００６０】
なお図では、いずれも図９で説明したコネクタに関連する従来のコネクタの製造装置と本発明のコネクタの製造装置を適用させる場合を例としているので、図９乃至図１５と同じ対象部材や部位には同一の記号を付すと共に、重複する説明についてはそれを省略する。
【００６１】
図１で本発明になるコネクタの製造装置に関連する従来のコネクタの製造装置５は、基台５１の表面に固定された前記あり３１１に嵌合して該あり方向に移動できる前述したコネクタ固定枠４２と、該基台５１上の図１６で説明した端子修正ブロック４３２配置関係と同じ位置に配置される端子ずれ修正ブロック５２と、該基台５１の上記コネクタ固定枠４２対応位置に配置される前記駆動機構部３５（以下ここに説明する製造装置では第１の駆動機構部とする）、および該基台５１の上記端子ずれ修正ブロック５２対応位置に配置される前記駆動機構部４４（以下ここに説明する製造装置では第２の駆動機構部とする）とからなるものである。
【００６２】
そして上記第１の駆動機構部３５と第２の駆動機構部４４のそれぞれの信号線３５３と４４３は、ケーブル５３に纏められた状態で図示されない制御部に繋がれている。
【００６３】
従って、基台５１上のコネクタ固定枠４２は上記第１の駆動機構部３５の動作によって図示Ｋ方向すなわちあり３１１の方向に往復動し、また該基台５１上の端子ずれ修正ブロック５２は上記第２の駆動機構部４４の動作によって上述したあり４１１の方向すなわちＬで示す上下方向に往復動させることができる。
【００６４】
そしてこの場合の端子ずれ修正ブロックを説明する図２で、（ａ）は全体斜視図であり、（ｂ）は一部断面平面図、（ｃ）は正面図、（ｄ）は一部断面平面図である。
【００６５】
図２で端子ずれ修正ブロック５２は、図１６で説明したあり４１１と嵌合して上下動し得るダイブロック４３１の上面にねじ等で着脱可能に固定されるものであり、前記コネクタ１を上記固定枠４２に固定したときの該コネクタ１の各外部接続端子１２１ｃ，１２２ｃと対応するそれぞれの位置には該各外部接続端子の先端１２１ｃ″，１２２ｃ″が僅かな余裕をもって挿入し得る大きさの角形の穴５２ａがその開口側にテーパ状の面取り５２ｂを備えて形成されている。
【００６６】
なお、この場合の面取り５２ｂは少なくとも隣接する穴５２ａ間の壁面がほぼ山形の稜線になる程度の大きさに形成されている。
従って、例えば図１４で説明したコネクタ１２′のように先端が端子列方向や行方向で位置ずれしている外部接続端子１２１ｃ，１２２ｃでも、その先端側から上記角形の穴５２ａに挿入することで容易に捕捉することができる。
【００６７】
そこで、図３の（ａ）に示す如く上記端子ずれ修正ブロック５２をダイブロック４３１から外した状態で、例えば前記コネクタ１２′を前述したように上記コネクタ固定枠４２に固定し、第１の駆動機構部３５の動作で該コネクタ１２′の端子列方向の位置をダイブロック４３１に対して位置決めする。
【００６８】
次いで、装着時の上記端子ずれ修正ブロック５２の各穴５２ａがコネクタ１２′の外部接続端子先端と一致するように上記ダイブロック４３１の上下方向位置を第２の駆動機構部４４の動作で調整する。
【００６９】
その後、該端子ずれ修正ブロック５２をそれぞれの前記穴５２ａに該コネクタ１２″の外部接続端子先端が入るように破線で示す如くダイブロック上に載置してねじ等の手段で固定することで、端子列方向を平面視した図（ｂ）や端子行方向を側面視した図（ｃ）で示す如く、外部接続端子先端１２１ｃ″，１２２ｃ″が上記角穴５２ａに挿入された状態に上記コネクタ１２′を該製造装置５に固定することができる。
【００７０】
そこで、図示されない制御部に繋がる信号線３５３から所定の信号を第１の駆動機構部３５に投入して上記コネクタ固定枠４２ひいてはコネクタ１２′を図１５の（ｂ）同様に（ｄ1 ）の如く往復動させることで、外部接続端子１２１ｃ，１２２ｃの端子列方向のずれを図（ｂ′）換言すれば図１５の（ｃ）で示すように修正することができる。
【００７１】
続いて、図示されない制御部に繋がる信号線４４３から所定の信号を第２の駆動機構部４４に投入して上記ダイブロック４３１ひいては端子ずれ修正ブロック５２を図１６の（ｂ）で説明したように（ｄ2 ）の如く往復動させることで、（ｃ′）すなわち図１６の（ｃ）で示すように外部接続端子１２１ｃ，１２２ｃの端子行方向のずれを修正することができる。
【００７２】
従って、外部接続端子１２１ｃ、１２２ｃとして端子列方向と行方向のずれが連続して修正されることから、端子修正作業としての工数が削減できて生産性の向上を実現することができる。しかし、本発明になるコネクタの製造装置に関連する従来のコネクタの製造装置５では、先端が大きくずれている外部接続端子を補足修正する場合、それら端子の補足確実性においては難点もある。
【００７３】
本発明になるコネクタの製造装置を説明する図４で、コネクタの製造装置６は図１で説明した、本発明になるコネクタの製造装置に関連する従来のコネクタの製造装置５における端子ずれ修正ブロック５２のみを、第１の端子修正ブロック６１１と第２の端子修正ブロック６１２とからなる端子ずれ修正ブロック６１に置き換えたものである。
【００７４】
ここで理解し易くするため、先に図５で第１の端子修正ブロックを、図６で第２の端子修正ブロックを、また図７でその組立状態をそれぞれ説明する。
図５で（ａ）は全体斜視図であり、（ｂ）は矢印Ｍ方向から見た側面図、（ｃ）は矢印ａ〜ａ′での断面図である。
【００７５】
図で第１の端子修正ブロック６１１は、平面視サイズが図２で説明した端子ずれ修正ブロック５２と同じブロック状で、後述する第２の端子修正ブロック６１２に対する密着面となる上面６１１ａの長手方向に沿った片側稜線の領域に、前記コネクタ１２における各外部接続端子１２１ｃ，１２２ｃ間の間隙と対応する位置に該間隙とほぼ等しい幅“ｂ1 ”で上記稜線を挟む両面から切り込まれた角形の凹部６１１ｂが形成されているものである。
【００７６】
そして上記上面６１１ａの該凹部形成領域を除く余白域には、第２の端子修正ブロック６１２に対する位置決め用としての複数（図では２個）の突起６１１ｃが設けられている。
【００７７】
一方第２の端子修正ブロックを説明する図６で、（ａ）は全体斜視図であり、（ｂ）は平面図、（ｃ）は正面図、（ｄ）は側面図、（ｅ）は（ｃ）のｂ〜ｂ′で切断視した側面図である。
【００７８】
図で第２の端子修正ブロック６１２は、平面視が上記第１の端子修正ブロック６１１と等しい大きさでコ字形に形成された筐体６１２ａの中央連結辺６１２ａ-1から、上記第１の端子修正ブロック６１１における凹部６１１ｂの幅“ｂ1 ”換言すればコネクタ１２における隣接する外部接続端子間の間隙より僅かに小さい厚さ“ｂ2 ”で脚部６１２ａ-2側に突出する端子案内片６１２ｂが櫛刃状に突出した基本形状をなすものである。
【００７９】
従って、隣接する該端子案内片６１２ｂ間のピッチ“ｂ3 ”は上記コネクタ１２における外部接続端子幅よりも僅かに大きくなっている。
また該端子案内片６１２ｂ間の上記中央辺側には、筐体６１２ａの上面６１２ａ′から所定距離“ｃ1 ”だけ低い位置で脚部側に突出する突出部６１２ｃが脚部先端から“ｃ2 ”だけ引っ込んだ位置まで形成されている。
【００８０】
更に上記端子案内片６１２ｂは、筐体６１２ａの前記第１の端子修正ブロック６１１に対する密着面となる上面６１２ａ′から“ｃ3 ”だけ突出して形成されているが、この場合の該突出量“ｃ3 ”は図５で説明した第１の端子修正ブロック６１１における凹部６１１ｂの厚さ方向深さ“ｂ2 ”よりも小さくなっており、また該突出域の少なくとも上記脚部側上面は凸のＶ字形の端子案内部６１２ｄに形成されている。
【００８１】
また上記上面６１２ａ′には、前記第１の端子修正ブロック６１１における突起６１１ｃと対応するそれぞれの位置に、該突起６１１ｃが嵌入し得る大きさの位置決め穴６１２ｅが設けられている。
【００８２】
そこで図７の（７−１）に示す如く、前記第１の端子修正ブロック６１１の上面６１１ａに、矢印Ｎの如く上下反転させた第２の端子修正ブロック６１２を上記突起６１１ｃと上記位置決め穴６１２ｅを一致させて載置すると、上記凹部６１１ｂに該第２の端子修正ブロック６１２の端子案内部６１２ｄが嵌入して上記第１の端子修正ブロック６１１の上面６１１ａと第２の端子修正ブロック６１２の上面６１２ａ′とを密着させることができるので、（７−２）の状態で両者を位置決めすることができる。
【００８３】
この場合、第１の端子修正ブロック６１１の上面６１１ａと第２の端子修正ブロック６１２における突出部６１２ｃの上面６１２ｃ′との間には上述した“ｃ1 ”に相当する隙間が生ずるが、この隙間は両サイドに位置する端子案内片６１２ｂによって角形の穴６１ａとなることから、結果的に図２で説明した端子ずれ修正ブロック５２における角形の穴５２ａと対応する。
【００８４】
従って、該端子ずれ修正ブロック６１が図１で説明した端子ずれ修正ブロック５２に対応させられることから、該端子ずれ修正ブロック６１をダイブロック４３１に装着することで所要のコネクタの製造装置６を図４で示すように構成することができる。
【００８５】
かかる端子ずれ修正ブロックを備えた製造装置としての作用を説明する図８で、（８−１）は前述したコネクタ１２′をコネクタ固定枠に固定したときの状態を平面視（ａ）と側断面視（ａ′）で示し、（８−２）は第２の端子修正ブロック装着途中の状態を外部接続端子領域での平面視（ｂ）と側断面視（ｂ′）で示し、更に（８−３）は第２の端子修正ブロック装着後の状態を側断面視（ｃ′）して示したものである。
【００８６】
すなわち図の（８−１）で、図１４で説明したコネクタ１２′を前記コネクタ固定枠４２に固定した状態では、該コネクタ１２′における外部接続端子１２１ｃ，１２２ｃの各先端１２１ｃ″，１２２ｃ″は第１の端子修正ブロック６１１の上面６１１ａに接して位置するが、前述したように上記各外部接続端子１２１ｃ，１２２ｃが端子列方向と行方向にそれぞれずれていることから上記先端１２１ｃ″，１２２ｃ″は該第１の端子修正ブロック上面の凹部６１１ｂ側にはみ出したように曲がった状態にある。
【００８７】
そこで上記第２の端子修正ブロック６１２を第１の端子修正ブロック６１１に装着すべく降下させると最初に該第２の端子修正ブロック６１２の端子案内部６１２ｄが各外部接続端子根元の隣接する端子間の間隙部に挿入される。
【００８８】
この場合、該端子案内部６１２ｄが凸のＶ字形に形成されていることと各外部接続端子の根元がプラグ絶縁体１２３によって位置決めされていることとから、端子列方向で如何に変形し又はずれている外部接続端子でも上記端子案内部６１２ｄによって捕捉されて該第２の端子修正ブロック６１２の端子案内片６１２ｂの間に位置するようになり、結果的に（８−２）の（ｂ），（ｂ′）で示す状態となる。
【００８９】
そして更に上記第２の端子修正ブロック６１２の降下が続くと、図７の（７−２）に示す如く第２の端子修正ブロック６１２の各端子案内片６１２ｂが第１の端子修正ブロック６１１の凹部６１１ｂに進入することから、（８−３）の（ｃ′）で示す状態となるが、この時点で各外部接続端子１２１ｃ，１２２ｃの各先端１２１ｃ″，１２２ｃ″は図７で説明した角穴６１ａに位置すると共に、該先端部を除く外部接続端子領域は第２の端子修正ブロック６１２の端子案内片間の隙間域に位置するので、図４に示す如く、図３の製造装置５における端子ばね修正ブロック５２の場合と等しい状態でコネクタ１２′が固定できるコネクタの製造装置６を図４に示すように構成することができる。
【００９０】
そこで以下図３の場合と同様に、第１の駆動機構部３５の作動でコネクタ１２′を往復動させ、更に第２の駆動機構部４４の作動で端子ずれ修正ブロック６１を往復動させることで、コネクタ１２′における外部接続端子１２１ｃ，１２２ｃの端子列方向と行方向のずれを継続して修正することができる。
【００９１】
従って、外部接続端子１２１ｃ，１２２ｃとしての端子列方向と行方向にずれている外部接続端子でも修正し得ることから、端子修正作業としての工数が削減できて生産性の向上を実現することができる。
【００９２】
かかる構成になるコネクタの製造装置６では、相対的な位置ずれが小さい外部接続端子根元域でそれぞれの外部接続端子を捕捉して修正することから、先端が如何に大きくずれている外部接続端子でも確実に捕捉して修正できるメリットがある。
【００９３】
なお、上記の説明では本発明になるコネクタの製造装置を表面実装形のプラグコネクタに適用させた場合を例としているが、表面実装形の外部接続端子を備えていれば如何なる電子デバイスにも同等の効果をもって本発明の製造装置を適用することができる。
【００９４】
【発明の効果】
上述の如く本発明により、コネクタとしての製造の容易化を実現して生産性向上を図ったコネクタの製造装置を提供することができる。
【００９５】
なお本発明の説明では外部接続端子がオフセット曲げされている場合を例としているが、例えば外部接続端子が基板貫通形の如く直状に形成されているコネクタにも本発明になるコネクタの製造装置を適用させることて、同等の効果が得られることは明らかである。
【図面の簡単な説明】
【図１】  本発明になるコネクタの製造装置に関連する従来のコネクタの製造装置を説明する図。
【図２】  図１における端子ずれ修正ブロックを説明する図。
【図３】  図１におけるコネクタの製造方法を説明する図。
【図４】  本発明になるコネクタの製造装置を説明する図。
【図５】  図４における第１の端子修正ブロックを説明する図。
【図６】  図４における第２の端子修正ブロックを説明する図。
【図７】  端子ずれ修正ブロックの組立状態を説明する図。
【図８】  図４の端子ずれ修正ブロックと外部接続端子の位置関係を説明する図。
【図９】  コネクタとしての構成を回路基板への実装方法と共に説明する図。
【図１０】  図９の第１プラグ端子を説明する図。
【図１１】  図９の第２プラグ端子を説明する図。
【図１２】  図９プラグ絶縁体を説明する図。
【図１３】  コネクタとしての組立方法を説明する図。
【図１４】  コネクタ組立時の外部接続端子の状態を説明する図。
【図１５】  外部接続端子の第１の修正方法を装置と共に説明する図。
【図１６】  外部接続端子の第２の修正方法を説明する図。
である。
【符号の説明】
５、６      コネクタの製造装置
１２        コネクタ
１２’      コネクタ
３５        第１の駆動機構部（駆動機構部）
４２        コネクタ固定枠
４４        第２の駆動機構部（駆動機構部）
５１        基台
５２        端子ずれ修正ブロック
５２a       角穴
５２b       面取り
５３        ケーブル
６１        端子ずれ修正ブロック
６１a       角穴（穴）
１２１c     外部接続端子
１２１c’   肩部
１２１c’’ 先端
１２２c     外部接続端子
１２２c’   肩部
１２２c’’ 先端
３１１      あり
３５３      信号線
４４３      信号線
４３１      ダイブロック
６１１      第１の端子修正ブロック
６１１a     上面（密着面）
６１１b     凹部
６１１c     突起
６１２      第２の端子修正ブロック
６１２a     筐体
６１２a’   上面（密着面）
６１２a−1 中央連結辺
６１２a−2 脚部
６１２b     端子案内片
６１２c     突出部
６１２d     端子案内部
６１２e     位置決め穴
【図１】
0003835651.tif 000002
【図２】
0003835651.tif 000003
【図３】
0003835651.tif 000004
【図４】
0003835651.tif 000005
【図５】
0003835651.tif 000006
【図６】
0003835651.tif 000007
【図７】
0003835651.tif 000008
【図８】
0003835651.tif 000009
【図９】
0003835651.tif 000010
【図１０】
0003835651.tif 000011
【図１１】
0003835651.tif 000012
【図１２】
0003835651.tif 000013
【図１３】
0003835651.tif 000014
【図１４】
0003835651.tif 000015
【図１５】
0003835651.tif 000016
【図１６】
0003835651.tif 000017